(57)【要約】【課題】電子機器筐体への基板の挿入時に、電子機器筐体に対する基板の位置決めを容易に行うことが可能な電子機器筐体への基板取付構造を提供する。【解決手段】電子機器筐体１０への基板取付構造であって、電子機器筐体１０には、その壁部の内壁面に一体に成形され、基板９０の挿脱方向に延伸するガイドレール２１が設けられ、基板９０の挿脱方向と直交する方向から基板９０を保持した状態で電子機器筐体１０の開口端１１Ａから挿脱されるフェイスカバー３０を備え、フェイスカバー３０には、ガイドレール２１に案内される被ガイド体３３が一体に成形され、被ガイド体３３は、被ガイド体３３の一方側に一体に成形され、基板９０の電子機器筐体１０への挿入始端から挿入終端までを保持する基板保持部３３ａと、被ガイド体３３の他方側に一体に成形され、ガイドレール２１に摺動可能に嵌め込まれるリブ部３３ｂと、を有するものである。【選択図】図１
2019021851.tif 000002
【特許請求の範囲】
【請求項１】
一端が開口しており、その開口端から基板が挿脱可能であり、挿入された基板が取り付けられる電子機器筐体への基板取付構造であって、
前記電子機器筐体には、その壁部の内壁面に一体に成形され、前記基板の挿脱方向に延伸するガイド溝が前記開口端側から設けられ、
前記基板の挿脱方向と直交する方向から前記基板を保持した状態で前記電子機器筐体の開口端から挿脱される基板保持枠を備え、
前記基板保持枠には、前記ガイド溝に案内される被ガイド体が一体に成形され、
前記被ガイド体は、
前記被ガイド体の一方側に一体に成形され、前記基板の前記電子機器筐体への挿入始端から挿入終端までを保持する基板保持部と、
前記被ガイド体の他方側に一体に成形され、前記ガイド溝に摺動可能に嵌め込まれるリブ部と、
を有すること
を特徴とする電子機器筐体への基板取付構造。
【請求項２】
前記リブ部は、前記基板保持部において保持される基板の前記電子機器筐体への挿入始端から挿入終端に沿って形成されること
を特徴とする請求項１に記載の電子機器筐体への基板取付構造。
【発明の詳細な説明】
【技術分野】
【０００１】
本発明は、一端が開口しており、その開口端から基板が挿脱可能であり、挿入された基板が取り付けられる電子機器筐体への基板取付構造に関するものである。
【背景技術】
【０００２】
従来、この種の電子機器筐体においては、特許文献１に示すように、拡張ボード等の基板が電子機器筐体内のガイドレールの溝に案内されながら挿入されることにより電子機器筐体内に収納される。当該基板は、電子機器筐体への挿入始端側にコネクタが固着されているとともに、電子機器筐体への挿入終端側に前面板（フェイスカバー）が固着されている。当該基板に固着されている板状のフェイスカバーは、基板が電子機器筐体内に収納されることで電子機器筐体の開口を塞ぐように構成されている。
【０００３】
また、上記基板には、その電子機器筐体への挿入終端側に他のモジュールを接続するためのコネクタ部を有するものがある。そして、当該コネクタ部は上記フェイスカバーに支持される。さらに、上記電子機器筐体には振動や衝撃等が加わる場合があり、そのような場合でも基板が電子機器筐体内で充分に保持されるように、上記フェイスカバーには電子機器筐体に係止可能な係止機構が設けられる。このように、フェイスカバーによりコネクタ部を支持し、或いは、フェイスカバーに係止機構を設けるためには、フェイスカバー自体をボックス状に（基板の電子機器筐体への挿入終端部を覆うように）形成する必要がある。
【先行技術文献】
【特許文献】
【０００４】
【特許文献１】実開昭６０−１０３８８８号公報
【発明の概要】
【発明が解決しようとする課題】
【０００５】
しかしながら、上記フェイスカバーをボックス状に形成すると、基板の電子機器筐体への挿入終端側がフェイスカバーによって覆われるため、電子機器筐体においてフェイスカバーが取り付けられる部分、すなわち、電子機器筐体の開口端側部分に、基板を案内するためのガイドレールを設けることができない。そのため、基板を電子機器筐体の奥側（筐体内部側）まで挿入しないと、基板が電子機器筐体に対して位置決めされないという問題があった。
【０００６】
そこで、本発明は、電子機器筐体への基板の挿入時に、電子機器筐体に対する基板の位置決めを容易に行うことが可能な電子機器筐体への基板取付構造を提供することを目的とする。
【課題を解決するための手段】
【０００７】
本発明の解決しようとする課題は以上であり、次にこの課題を解決するための手段を説明する。
即ち、本発明の電子機器筐体への基板取付構造は、一端が開口しており、その開口端から基板が挿脱可能であり、挿入された基板が取り付けられる電子機器筐体への基板取付構造であって、前記電子機器筐体には、その壁部の内壁面に一体に成形され、前記基板の挿脱方向に延伸するガイド溝が前記開口端側から設けられ、前記基板の挿脱方向と直交する方向から前記基板を保持した状態で前記電子機器筐体の開口端から挿脱される基板保持枠を備え、前記基板保持枠には、前記ガイド溝に案内される被ガイド体が一体に成形され、前記被ガイド体は、前記被ガイド体の一方側に一体に成形され、前記基板の前記電子機器筐体への挿入始端から挿入終端までを保持する基板保持部と、前記被ガイド体の他方側に一体に成形され、前記ガイド溝に摺動可能に嵌め込まれるリブ部と、を有するものである。
上記構成では、電子機器筐体の開口端側のガイド溝から被ガイド枠のリブ部を嵌め込んで摺動させることができる。
【０００８】
本発明の電子機器筐体への基板取付構造は、前記リブ部は、前記基板保持部において保持される基板の前記電子機器筐体への挿入始端から挿入終端に沿って形成されるものである。
上記構成では、基板の電子機器筐体への挿入始端から挿入終端までが被ガイド体を介してガイド溝に案内される。
【発明の効果】
【０００９】
本発明の電子機器筐体への基板取付構造によれば、電子機器筐体の開口端側からガイド溝を延設して、被ガイド体のリブ部を電子機器筐体の開口端側のガイド溝から嵌め込んで摺動可能としたことから、電子機器筐体への基板の挿入時に、電子機器筐体に対する基板の位置決めを容易に行うことができる。また、電子機器筐体への基板の挿入時に、基板が電子機器筐体に当たることがないため、基板に実装されている部品や電子機器筐体自体を傷付けたり破損させることがない。
【図面の簡単な説明】
【００１０】
【図１】本発明に係る電子機器筐体への基板取付構造を示す斜視図である。
【図２】本発明に係る電子機器筐体への基板取付構造において基板を電子機器筐体に挿入する場合の斜視図である。
【図３】本発明に係る電子機器筐体の正面図である。
【図４】本発明に係る基板保持枠の図である。
【図５】本発明に係る電子機器筐体に対して基板保持枠を挿入する場合の図である。
【図６】本発明に係る電子機器筐体への基板取付構造において固定補強材を用いた場合の斜視図である。
【図７】本発明に係る固定補強材の図である。
【発明を実施するための形態】
【００１１】
本発明に係る電子機器筐体１０への基板９０の取付構造について説明する。
（電子機器筐体１０）
図１から図３に示すように、電子機器筐体１０は、前側端に開口部１１を有する樹脂製の略矩形状の筐体であり、背面壁部１２と、上側壁部１３と、下側壁部１４と、右側壁部１５と、左側壁部１６と、を有する。電子機器筐体１０は、開口部１１から拡張ボード等の基板９０を挿入し、その内部に取り付けて収納する。電子機器筐体１０は、電子機器筐体１０を壁面に設置するための壁取付部１７が背面壁部１２に設けられ、壁取付部１７にネジ等の固定部材（図示せず）を取り付けることで壁面に設置される。また、電子機器筐体１０は、ＤＩＮレール等の支持レール（図示せず）と係合可能な係合部材を背面壁部１２に備え、当該係合部材を介して支持レールに着脱可能に支持されるように構成されている。電子機器筐体１０は、開口部１１に、複数の基板９０（図１では４体の基板９０）を挿脱するための複数の受け部２０及びガイドレール２１（「ガイド溝」の一例）と、基板９０の挿入始端である前側端部９１を受ける複数のコネクタ１８と、を備える。
【００１２】
受け部２０は、開口部１１側の上側壁部１３及び下側壁部１４（「壁部」の一例）において互いに対向する上側内壁面１３Ａ及び下側内壁面１４Ａ（「内壁面」の一例）から正面視略凹形状に突出して形成される部分であり、上側内壁面１３Ａ及び下側内壁面１４Ａのそれぞれに一体に成形される。受け部２０は、開口部１１の上側及び下側の開口端１１Ａに沿って、並列に複数箇所（図１では上側内壁面１３Ａ及び下側内壁面１４Ａに各４箇所）形成されている。上側内壁面１３Ａの受け部２０と下側内壁面１４Ａの受け部２０とは、その凹み部分が互いに対向するように配置される。
【００１３】
ガイドレール２１は、上側内壁面１３Ａ及び下側内壁面１４Ａにおいて溝状に成形される部分であり、上側内壁面１３Ａ及び下側内壁面の開口部１１側から背面壁部１２側に向けて延設される。ガイドレール２１は、上側内壁面１３Ａ及び下側内壁面１４Ａに複数箇所（図１では上側内壁面１３Ａ及び下側内壁面１４Ａに各４箇所）形成され、互いに平行に配置されている。上側内壁面１３Ａのガイドレール２１と下側内壁面１４Ａのガイドレール２１とは、その溝状の凹み部分が互いに対向するように配置される。基板９０は、対向する上側内壁面１３Ａのガイドレール２１と下側内壁面１４Ａのガイドレール２１との当該凹み部分の間において挿脱される。
【００１４】
（フェイスカバー３０）
図２及び図４に示すように、基板９０は、前側端部９１（電子機器筐体１０への挿入始端）側と反対側の端部である後側端部９２（電子機器筐体１０への挿入終端）側からフェイスカバー３０（「基板保持枠」の一例）によって保持された状態で電子機器筐体１０に収納される。フェイスカバー３０は、基板９０を電子機器筐体１０内で保持するための枠体であるとともに、基板９０を電子機器筐体１０の開口端１１Ａから挿脱するための枠体であり、本体３１と、爪体３２と、被ガイド体３３と、から構成されている。
【００１５】
本体３１は、フェイスカバー３０の主たる部分であり、樹脂製の長尺状の部材により構成される。本体３１は、フェイスカバー３０を電子機器筐体１０に挿入した際に、電子機器筐体１０の開口部１１を塞ぐように、開口部１１側の上側壁部１３と下側壁部１４との間に配置される。本体３１は、基板９０の後側端部９２を支持するとともに、基板９０の後側端部９２側に設けられるピンコネクタ等のコネクタ部９５を支持可能に構成されている。
【００１６】
爪体３２は、フェイスカバー３０が電子機器筐体１０に収納される際に、電子機器筐体１０の受け部２０に係止される部分である。爪体３２は、本体３１の長手方向の両端部に、本体３１と一体に成形された樹脂製の部材により構成される。すなわち、爪体３２は、フェイスカバー３０の電子機器筐体１０への挿入方向Ｓ（挿脱方向）と直交する方向の両端部に設けられている。
【００１７】
爪体３２は、その一端部側が自由端であり、且つその他端部側が本体３１と一体に成形される固定端であるとともに、電子機器筐体１０への挿入方向Ｓ側であって、固定端と自由端との間に折り返し部分が形成されている。具体的には、爪体３２は、側面視略Ｕ字状に形成され、電子機器筐体１０への挿入方向Ｓと反対方向に延設され、延設方向の先端が自由端である外側部材３２ａと、本体３１に連結された固定端を有し、電子機器筐体１０への挿入方向Ｓに延設される内側部材３２ｂと、内側部材３２ｂから外側部材３２ａへ折り返す部分である折り返し部材３２ｃと、から構成される。外側部材３２ａ、内側部材３２ｂ、折り返し部材３２ｃの幅方向（電子機器筐体１０への挿入方向Ｓと水平に直交する方向）の長さは、電子機器筐体１０の受け部２０の凹み部分の幅と略同程度の長さである。
【００１８】
爪体３２は、フェイスカバー３０（本体３１）の中央側に近づく方向に弾性変形する。具体的には、爪体３２は、外側部材３２ａの自由端側部分（外側部材３２ａの一端部）を押圧することで、外側部材３２ａが折り返し部材３２ｃを支点に内側部材３２ｂに近づく方向に弾性変形する。フェイスカバー３０においては、本体３１の両端部に設けられている爪体３２を弾性変形させることにより、爪体３２の外側部材３２ａの一端部同士の間隔が、電子機器筐体１０の上側壁部１３及び下側壁部１４に設けられる受け部２０同士の間隔より小さくなる。
【００１９】
爪体３２は、外側部材３２ａの外側面の中央部に、凸状の係止部３２ｄが外側部材３２ａと一体に成形されている。係止部３２ｄは、フェイスカバー３０が電子機器筐体１０に収納される際に、電子機器筐体１０の受け部２０により直接係止される部分であり、電子機器筐体１０への挿入方向Ｓに傾斜した（傾斜面が電子機器筐体１０への挿入方向Ｓ側に向いた）側面視三角形状（山形状）の樹脂製の突出部材により成形される。係止部３２ｄは、外側部材３２ａの自由端側部分（外側部材３２ａの一端部）を押圧して爪体３２を弾性変形させることで、内側部材３２ｂに近づく方向に移動し、受け部２０による係止が解除される。すなわち、外側部材３２ａの自由端側部分（外側部材３２ａの一端部）が、受け部２０による係止部３２ｄの係止を解除するための係止解除部３２ｅであり、フェイスカバー３０を電子機器筐体１０に装着した際に、係止解除部３２ｅを操作することで受け部２０による係止部３２ｄの係止が解除される。
【００２０】
係止解除部３２ｅは、フェイスカバー３０を電子機器筐体１０に装着した際に、電子機器筐体１０の開口部１１側であって、開口部１１の開口端１１Ａより外側に突出するように設けられる。すなわち、係止解除部３２ｅは、基板９０の挿入始端側（前側端部９１側）と反対側の基板９０の挿入終端側（後側端部９２側）の位置に設けられ、開口部１１側から操作可能に構成されている。このように、係止解除部３２ｅが電子機器筐体１０の開口部１１側であって、開口部１１の開口端１１Ａより外側に突出して設けられることで、電子機器筐体１０がレール等に固定されている場合であっても、係止解除部３２ｅを容易に操作することができる。
係止解除部３２ｅは、その外側面及び内側面に突起部３２ｆが外側部材３２ａと一体に成形されている。突起部３２ｆは、係止解除部３２ｅ（外側部材３２ａの自由端側）を補強するための突起である。
【００２１】
被ガイド体３３は、基板９０の上側端部９３及び下側端部９４を支持するとともに、フェイスカバー３０を電子機器筐体１０に挿脱する際に、電子機器筐体１０のガイドレール２１に案内される部分である。被ガイド体３３は、本体３１の長手方向の両端部に爪体３２と平行に設けられ、本体３１と一体に成形された樹脂製の部材により構成される。
【００２２】
被ガイド体３３は、本体３１の長手方向の両端部から電子機器筐体１０への挿入方向Ｓに延設される長尺状の部材であり、基板９０の上側端部９３及び下側端部９４の全体を覆うように構成されている。被ガイド体３３は、その一端部側が自由端であり、且つその他端部側が本体３１と一体に成形される固定端である。
【００２３】
被ガイド体３３は、その一方側である内側面に基板保持部３３ａが一体に成形されている。基板保持部３３ａは凹状の長溝部分であり、基板９０の上側端部９３及び下側端部９４が嵌め込まれる。基板保持部３３ａは、基板９０の上側端部９３及び下側端部９４の前側端部９１側（電子機器筐体１０への挿入始端）から後側端部９２側（電子機器筐体１０への挿入終端）までを保持するように、被ガイド体３３の長手方向に沿って延設される。すなわち、基板保持部３３ａは、基板９０の挿入方向Ｓ（挿脱方向）に沿って延設され、基板９０の挿入方向Ｓ（挿脱方向）と直交する方向から基板９０を保持する。
【００２４】
被ガイド体３３は、その他方側である外側面にリブ部３３ｂが一体に成形されている。すなわち、リブ部３３ｂは、基板保持部３３ａが成形されている面と反対側の面に成形されている。リブ部３３ｂは、凸状に突出した長尺の突出部分であり、電子機器筐体１０のガイドレール２１に摺動可能に嵌め込まれる。リブ部３３ｂは、被ガイド体３３の長手方向に沿って延設される。すなわち、リブ部３３ｂは、基板保持部３３ａにおいて保持される基板９０の前側端部９１側（電子機器筐体１０への挿入始端）から後側端部９２側（電子機器筐体１０への挿入終端）に沿って形成される。リブ部３３ｂは、被ガイド体３３の中央部分で分割して設けられる。分割されたリブ部３３ｂの間（被ガイド体３３の中央部）には、基板９０を基板保持部３３ａに係止させるための係止孔３３ｃが設けられている。基板９０に設けられる引っ掛け部分を係止孔３３ｃに引っ掛けることで、基板９０と基板保持部３３ａとの接続が強化される。
【００２５】
このように被ガイド体３３を形成することで、基板９０の上側端部９３及び下側端部９４の略全体（電子機器筐体１０への挿入始端から挿入終端まで）が被ガイド体３３（リブ部３３ｂ）を介してガイドレール２１に案内される。そのため、基板９０（被ガイド体３３）に対するガイドレール２１の有効範囲が広くなり、電子機器筐体１０の開口端１１Ａ側で電子機器筐体１０に対する基板９０の位置決めを行うことができる。
【００２６】
次に、電子機器筐体１０への基板９０の取り付け方法について説明する。
図２及び図５（ａ）に示すように、フェイスカバー３０を装着した基板９０を電子機器筐体１０の開口端１１Ａから挿入する。この時、フェイスカバー３０の被ガイド体３３のリブ部３３ｂを電子機器筐体１０の開口端１１Ａ側から延設されるガイドレール２１に挿入する。これにより、電子機器筐体１０に対するフェイスカバー３０の位置決めを行う。すなわち、電子機器筐体１０の開口端１１Ａ側において電子機器筐体１０に対する基板９０の位置決めを行うことができる。
【００２７】
続いて、図５（ｂ）に示すように、フェイスカバー３０の爪体３２を電子機器筐体１０の受け部２０に挿入する。これにより、被ガイド体３３のリブ部３３ｂがガイドレール２１に沿って案内されるとともに、爪体３２の係止部３２ｄが受け部２０に当接する。さらに、フェイスカバー３０の本体３１を電子機器筐体１０内に押し込むことで、爪体３２の係止部３２ｄが受け部２０により押圧され、図５（ｃ）に示すように、爪体３２の外側部材３２ａが折り返し部材３２ｃを支点に内側部材３２ｂに近づく方向に押し込まれる。すなわち、本体３１の両端部に設けられる爪体３２の係止部３２ｄ同士の間隔が、電子機器筐体１０の上側壁部１３及び下側壁部１４に設けられる受け部２０同士の間隔より小さくなる。そして、係止部３２ｄの頂部が受け部２０を通過するまでフェイスカバー３０の本体３１を電子機器筐体１０内に押し込むことで、図５（ｄ）に示すように、係止部３２ｄが受け部２０に嵌り込むとともに、外側部材３２ａが元に位置に戻る。これにより、フェイスカバー３０を装着した基板９０が電子機器筐体１０に取り付けられる。
【００２８】
次に、電子機器筐体１０からの基板９０の取り外し方法について説明する。フェイスカバー３０を装着した基板９０が電子機器筐体１０に取り付けられた状態で、本体３１の両端部に設けられるそれぞれの爪体３２の係止解除部３２ｅ（外側部材３２ａの自由端部）を操作する。具体的には、本体３１の両端部に設けられるそれぞれの爪体３２の外側部材３２ａを本体３１の中央側に押圧する。これにより、外側部材３２ａが折り返し部材３２ｃを支点に内側部材３２ｂに近づく方向に押し込まれ、本体３１の両端部に設けられる爪体３２の係止部３２ｄ同士の間隔が、電子機器筐体１０の上側壁部１３及び下側壁部１４に設けられる受け部２０同士の間隔より小さくなる。すなわち、受け部２０による係止部３２ｄの係止が解除される。
【００２９】
続いて、外側部材３２ａを本体３１の中央側に押圧した状態で、フェイスカバー３０を電子機器筐体１０の開口端１１Ａから外側に引き出す。これにより、受け部２０による爪体３２の嵌り込みが外れ、続いて、ガイドレール２１による被ガイド体３３の案内が外れる。すなわち、フェイスカバー３０を装着した基板９０が電子機器筐体１０から取り外される。
【００３０】
以上のように、本実施の形態によると、電子機器筐体１０の開口端１１Ａ側からガイドレール２１を延設して、被ガイド体３３のリブ部３３ｂを電子機器筐体１０の開口端１１Ａ側のガイドレール２１から嵌め込んで摺動可能としたことから、電子機器筐体１０への基板９０の挿入時に、電子機器筐体１０に対する基板９０の位置決めを容易に行うことができる。
【００３１】
なお、本実施の形態においては、フェイスカバー３０の爪体３２を電子機器筐体１０の受け部２０に係止させることによりフェイスカバー３０を電子機器筐体１０に固定しているが、これに限定されるものではなく、フェイスカバー３０に爪体３２を設けずに、ネジ等の固定部材によりフェイスカバー３０を電子機器筐体１０に固定しても構わない。
【００３２】
また、本実施の形態においては、電子機器筐体１０の受け部２０によりフェイスカバー３０の爪部を係止することで基板９０を電子機器筐体１０に取り付ける構造であるが、これに限定されるものではなく、例えば、図６に示すような固定補強材４０を用いて、基板９０を電子機器筐体１０に取り付ける構造であっても構わない。
【００３３】
図６に示すように、固定補強材４０は、電子機器筐体１０に基板９０（フェイスカバー３０）を取り付けた上で、フェイスカバー３０の爪体３２及び被ガイド体３３と、電子機器筐体１０の上側壁部１３及び下側壁部１４と、に嵌め合わされる。これにより、フェイスカバー３０と電子機器筐体１０の上側壁部１３及び下側壁部１４とが固定補強材４０を介して固定される。
【００３４】
図７に示すように、固定補強材４０は、側面視略Ｊ字状の樹脂製の部材であり、電子機器筐体１０への挿入方向Ｓに延設され、延設方向の先端が自由端である第１壁部４１と、第１壁部４１に対向して電子機器筐体１０への挿入方向Ｓに延設され、延設方向の先端が自由端である第２壁部４２と、第１壁部４１から第２壁部４２へ折り返す部分である折り返し壁部４３と、から構成される。
【００３５】
第１壁部４１と第２壁部４２との間には、複数（図７では３箇所）の係合突出部４４が折り返し壁部４３から側面視略Ｌ字状に突出して形成されている。係合突出部４４の上部には、電子機器筐体１０の上側壁部１３或いは下側壁部１４を受ける壁受け部４４ａが設けられる。固定補強材４０においては、壁受け部４４ａと第１壁部４１の内壁面との間に上側壁部１３或いは下側壁部１４が嵌め込まれる。
【００３６】
第１壁部４１と第２壁部４２との間であって隣り合う係合突出部４４の間には、フェイスカバー３０の爪体３２の外側部材３２ａ（係止解除部３２ｅ）を受ける爪受け部４３ａが設けられている。爪受け部４３ａには、固定補強材４０を電子機器筐体１０に取り付ける際に、爪体３２の外側部材３２ａ（係止解除部３２ｅ）が嵌め込まれる。爪受け部４３ａの入口部を形成する係合突出部４４の突出先端４４ｂは、爪体３２の外側部材３２ａ（係止解除部３２ｅ）を爪受け部４３ａに嵌め込み易くするためにテーパー状に形成されている。
【００３７】
第２壁部４２における電子機器筐体１０への挿入方向Ｓ側端部には、複数（図７では４箇所）の差し込み部４２ａが設けられている。差し込み部４２ａは、固定補強材４０を電子機器筐体１０に取り付ける際に、フェイスカバー３０の爪体３２の外側部材３２ａと内側部材３２ｂとの間に折り返し部材３２ｃに向けて差し込まれる。差し込み部４２ａは、その先端部が外側部材３２ａと内側部材３２ｂとの間に差し込まれ易くするために湾曲状に形成されている。
【符号の説明】
【００３８】
１０                      電子機器筐体
１１Ａ                    開口端
２１                      ガイドレール（ガイド溝）
３０                      フェイスカバー（基板保持枠）
３３                      被ガイド体
３３ａ                    基板保持部
３３ｂ                    リブ部
９０                      基板
【図１】
2019021851.tif 000003
【図２】
2019021851.tif 000004
【図３】
2019021851.tif 000005
【図４】
2019021851.tif 000006
【図５】
2019021851.tif 000007
【図６】
2019021851.tif 000008
【図７】
2019021851.tif 000009